(57)【要約】【課題】複数の情報に関する優先度に基づいて表示制御を行うことで、複数の情報を自由に見る機会をユーザに与えることが可能な情報表示装置を提供する。【解決手段】情報表示装置は、複数の情報を取得して、取得された情報に基づいて画面を表示する制御を行うために好適に利用される。優先度記憶手段は、複数の情報に対して設定された、優先的に表示する度合いを示す優先度を記憶する。表示制御手段は、優先度に基づいて、取得された情報のそれぞれを表示する際の画面サイズを決定し、決定された画面サイズによって取得された情報に対応する画面を全て表示する制御を行う。これにより、取得された全ての情報に対応する画面を表示することで、取得された全ての情報を自由に見る機会をユーザに与えることができる。【選択図】図８
2011095088.tif 000002
【特許請求の範囲】
【請求項１】
複数の情報を取得して、取得された情報に基づいて画面を表示する制御を行う情報表示装置であって、
前記複数の情報に対して設定された、優先的に表示する度合いを示す優先度を記憶する優先度記憶手段と、
表示すべき２以上の情報が取得された場合に、前記優先度に基づいて、前記取得された情報のそれぞれを表示する際の画面サイズを決定し、決定された前記画面サイズによって前記取得された情報に対応する画面を全て表示する制御を行う表示制御手段と、を備えることを特徴とする情報表示装置。
【請求項２】
前記表示制御手段は、前記取得された情報における前記優先度の差に応じて、前記画面サイズを決定することを特徴とする請求項１に記載の情報表示装置。
【請求項３】
前記表示制御手段は、
前記優先度の差が大きいほど、前記優先度が高い情報と前記優先度が低い情報との前記画面サイズの差を大きくし、
前記優先度の差が小さいほど、前記優先度が高い情報と前記優先度が低い情報との前記画面サイズの差を小さくすることを特徴とする請求項２に記載の情報表示装置。
【請求項４】
前記表示制御手段は、
前記優先度の差が所定未満である場合には、前記優先度の差に応じて決定された前記画面サイズによって、前記取得された情報の内容を示す画面を全て表示し、
前記優先度の差が前記所定以上である場合には、前記優先度が高い情報の内容を示す画面を最大化表示すると共に、前記優先度が低い情報に対応するアイコンを表示することを特徴とする請求項２又は３に記載の情報表示装置。
【請求項５】
前記表示制御手段は、前記取得された情報に対応する表示画面のいずれかがユーザによって操作された場合、ユーザによって操作された画面を最大化表示すると共に、ユーザによって操作されなかった画面を最小化してアイコンで表示することを特徴とする請求項１乃至４のいずれか一項に記載の情報表示装置。
【請求項６】
前記表示制御手段は、前記アイコンがユーザによって操作された場合、前記アイコンに対応する情報の内容を示す画面を表示することを特徴とする請求項４又は５に記載の情報表示装置。
【請求項７】
前記複数の情報に対するユーザの嗜好性を記憶する嗜好性記憶手段を更に備え、
前記表示制御手段は、前記優先度及び前記嗜好性の両方に基づいて、前記取得された情報のそれぞれを表示する際の画面サイズを決定することを特徴とする請求項１乃至６のいずれか一項に記載の情報表示装置。
【請求項８】
前記表示制御手段は、前記優先度に加えて、前記複数の情報の夫々を取得する順序に基づいて前記画面サイズを決定することを特徴とする請求項１乃至７のいずれか一項に記載の情報表示装置。
【請求項９】
前記複数の情報として、ＤＳＲＣ路側器が送信したＤＳＲＣ情報、ＤＳＳＳ路側器が送信したＤＳＳＳ情報、及びビーコン路側器が送信したビーコン情報のうちの少なくともいずれかの情報を取得することを特徴とする請求項１乃至８のいずれか一項に記載の情報表示装置。
【請求項１０】
前記複数の情報として、ナビゲーション用の情報を取得することを特徴とする請求項１乃至９のいずれか一項に記載の情報表示装置。
【請求項１１】
複数の情報を取得して、取得された情報に基づいて画面を表示する制御を行う装置によって実行される情報表示方法であって、
前記複数の情報に対して設定された、優先的に表示する度合いを示す優先度を記憶する優先度記憶工程と、
表示すべき２以上の情報が取得された場合に、前記優先度に基づいて、前記取得された情報のそれぞれを表示する際の画面サイズを決定し、決定された前記画面サイズによって前記取得された情報に対応する画面を全て表示する制御を行う表示制御工程と、を備えることを特徴とする情報表示方法。
【請求項１２】
コンピュータを備えると共に、複数の情報を取得して、取得された情報に基づいて画面を表示する制御を行う装置によって実行される情報表示プログラムであって、
前記コンピュータを、
前記複数の情報に対して設定された、優先的に表示する度合いを示す優先度を記憶する優先度記憶手段、
表示すべき２以上の情報が取得された場合に、前記優先度に基づいて、前記取得された情報のそれぞれを表示する際の画面サイズを決定し、決定された前記画面サイズによって前記取得された情報に対応する画面を全て表示する制御を行う表示制御手段、として機能させることを特徴とする情報表示プログラム。
【発明の詳細な説明】
【技術分野】
【０００１】
本発明は、受信された各種の情報に対応する画面を表示するための処理を行う情報表示装置に関する。
【背景技術】
【０００２】
この種の技術が、例えば特許文献１及び２に提案されている。特許文献１には、複数の情報の性質に合わせて、適切なタイミングで情報を表示する技術が提案されている。特許文献２には、即時情報（安全運転支援情報または緊急メッセージ情報）を受信すると、即時情報を取得したことを示す緊急情報受信ダイアログを表示することが提案されている。
【先行技術文献】
【特許文献】
【０００３】
【特許文献１】特開２００９−９２６０５号公報
【特許文献２】特開２００９−６９０６２号公報
【発明の概要】
【発明が解決しようとする課題】
【０００４】
ところで、近年、ＤＳＲＣ（Ｄｅｄｉｃａｔｅｄ  Ｓｈｏｒｔ  Ｒａｎｇｅ  Ｃｏｍｍｕｎｉｃａｔｉｏｎ）やＤＳＳＳ（Ｄｒｉｖｉｎｇ  Ｓａｆｅｔｙ  Ｓｕｐｐｏｒｔ  Ｓｙｓｔｅｍｓ）やビーコンを用いて、路側器と車両に搭載された車載器との間で無線通信を行う通信システムが普及しつつある。この種の車載器においては、ＤＳＲＣ情報、ＤＳＳＳ情報、及びビーコン情報に対して画面を表示する際の優先度を予め設定して、表示すべき２以上の情報が同時に受信された場合に、当該優先度に基づいて優先的に表示する情報を決定するといった表示方法が用いられている。
【０００５】
例えば、当該表示方法では、ある情報に対応する画面の表示中に、当該情報よりも優先度が低い情報が割り込んだ場合には、現在の表示画面が継続され、割り込んだ情報は表示されない。これに対して、表示中の情報よりも優先度が高い情報が割り込んだ場合には、現在の表示画面から割り込んだ情報に対応する画面に切り替えられる。また、当該表示方法では、表示中の情報と優先度が同一である情報が割り込んだ場合には、現在の表示画面から割り込んだ情報に対応する画面に切り替えられる。
【０００６】
このような表示方法では、情報の表示中に別の情報が割り込んだ場合に、表示中の画面及び割り込んだ情報に対応する画面のいずれか一方のみが表示される。したがって、当該表示方法では、現在の表示画面及び割り込んだ情報に対応する画面の両方を、ユーザが自由に見る機会が与えられていないと言える。そのため、例えば、ユーザにとって必要な情報が表示された画面が強制的に消されて、必要でない情報が表示されてしまったり、ユーザにとって必要でない情報が表示され続け、必要な情報が表示されなかったりする不具合があると考えられる。なお、特許文献１及び２には、このような不具合を解決する手法については記載されていない。
【０００７】
本発明が解決しようとする課題は上記のようなものが例として挙げられる。本発明は、複数の情報に関する優先度に基づいて表示制御を行うことで、複数の情報を自由に見る機会をユーザに与えることが可能な情報表示装置、情報表示方法、及び情報表示プログラムを提供することを課題とする。
【課題を解決するための手段】
【０００８】
請求項１に記載の発明では、複数の情報を取得して、取得された情報に基づいて画面を表示する制御を行う情報表示装置は、前記複数の情報に対して設定された、優先的に表示する度合いを示す優先度を記憶する優先度記憶手段と、表示すべき２以上の情報が取得された場合に、前記優先度に基づいて、前記取得された情報のそれぞれを表示する際の画面サイズを決定し、決定された前記画面サイズによって前記取得された情報に対応する画面を全て表示する制御を行う表示制御手段と、を備える。
【０００９】
請求項１１に記載の発明では、複数の情報を取得して、取得された情報に基づいて画面を表示する制御を行う装置によって実行される情報表示方法は、前記複数の情報に対して設定された、優先的に表示する度合いを示す優先度を記憶する優先度記憶工程と、表示すべき２以上の情報が取得された場合に、前記優先度に基づいて、前記取得された情報のそれぞれを表示する際の画面サイズを決定し、決定された前記画面サイズによって前記取得された情報に対応する画面を全て表示する制御を行う表示制御工程と、を備える。
【００１０】
請求項１２に記載の発明では、コンピュータを備えると共に、複数の情報を取得して、取得された情報に基づいて画面を表示する制御を行う装置によって実行される情報表示プログラムは、前記コンピュータを、前記複数の情報に対して設定された、優先的に表示する度合いを示す優先度を記憶する優先度記憶手段、表示すべき２以上の情報が取得された場合に、前記優先度に基づいて、前記取得された情報のそれぞれを表示する際の画面サイズを決定し、決定された前記画面サイズによって前記取得された情報に対応する画面を全て表示する制御を行う表示制御手段、として機能させる。
【図面の簡単な説明】
【００１１】
【図１】実施例に係るナビゲーション装置の概略構成を示す。
【図２】実施例に係る通信システムの概略構成を示す。
【図３】ＤＳＲＣ情報、ＤＳＳＳ情報、及びビーコン情報の具体例を示す。
【図４】比較例に係る表示制御方法を行った場合の不具合を説明するための図を示す。
【図５】既存情報の優先度が「高」であり、割り込み情報の優先度が「低」である場合に、本実施例に係る表示制御方法によって表示される画面例を示す。
【図６】既存情報及び割り込み情報の優先度が同一である場合に、本実施例に係る表示制御方法によって表示される画面例を示す。
【図７】既存情報の優先度が「中」であり、割り込み情報の優先度が「低」である場合に、本実施例に係る表示制御方法によって表示される画面例を示す。
【図８】本実施例における表示制御フローを示す。
【発明を実施するための形態】
【００１２】
本発明の１つの観点では、複数の情報を取得して、取得された情報に基づいて画面を表示する制御を行う情報表示装置は、前記複数の情報に対して設定された、優先的に表示する度合いを示す優先度を記憶する優先度記憶手段と、表示すべき２以上の情報が取得された場合に、前記優先度に基づいて、前記取得された情報のそれぞれを表示する際の画面サイズを決定し、決定された前記画面サイズによって前記取得された情報に対応する画面を全て表示する制御を行う表示制御手段と、を備える。
【００１３】
上記の情報表示装置は、複数の情報を取得して、取得された情報に基づいて画面を表示する制御を行うために好適に利用される。優先度記憶手段は、複数の情報に対して設定された、優先的に画面を表示する度合いを示す優先度を記憶する。表示制御手段は、優先度に基づいて、取得された情報のそれぞれを表示する際の画面サイズを決定し、決定された画面サイズによって取得された情報に対応する画面を表示する制御を行う。つまり、表示制御手段は、決定された画面サイズによって、取得された全ての情報に関する画面を表示する。これにより、取得された全ての情報を自由に見る機会をユーザに与えることができる。
【００１４】
上記の情報表示装置の一態様では、前記表示制御手段は、前記取得された情報における前記優先度の差に応じて、前記画面サイズを決定する。
【００１５】
この態様によれば、優先度の高い情報をユーザに直感的に理解させることができる。即ち、直感的に情報の相対的な重要度をユーザに知らせることができる。
【００１６】
上記の情報表示装置において好適には、前記表示制御手段は、前記優先度の差が大きいほど、前記優先度が高い情報と前記優先度が低い情報との前記画面サイズの差を大きくし、前記優先度の差が小さいほど、前記優先度が高い情報と前記優先度が低い情報との前記画面サイズの差を小さくすることができる。
【００１７】
上記の情報表示装置の他の一態様では、前記表示制御手段は、前記優先度の差が所定未満である場合には、前記優先度の差に応じて決定された前記画面サイズによって、前記取得された情報の内容を示す画面を全て表示し、前記優先度の差が前記所定以上である場合には、前記優先度が高い情報の内容を示す画面を最大化表示すると共に、前記優先度が低い情報に対応するアイコンを表示する。
【００１８】
この態様によれば、優先度の差が比較的小さい情報については、取得された全ての情報の内容を表示することで、これらの内容をユーザに同時に確認させることができる。一方で、優先度の差が比較的大きい情報については、優先度が高い情報を優先的に表示させることができると共に、優先度が低い情報についても情報の内容をユーザに表示する機会を与えることができる。この場合、重要な情報が見えにくくなるといった問題は生じない。ここで、情報の内容を示す画面を表示するとは、当該情報が有する画像データを表示することを意味する。また、情報に対応するアイコンを表示するとは、当該情報の種類などを示す名称が表示された、ユーザが操作可能なボタンを表示することを意味する。
【００１９】
上記の情報表示装置の他の一態様では、前記表示制御手段は、前記取得された情報に対応する表示画面のいずれかがユーザによって操作された場合、ユーザによって操作された画面を最大化表示すると共に、ユーザによって操作されなかった画面を最小化してアイコンで表示する。
【００２０】
この態様によれば、ユーザが必要だと判断した情報を、大きな表示によって単独で表示させることができる。例えば、表示すべき情報を単独で表示させる場合に割り当てられた画面領域のサイズによって、情報の内容を示す画面を表示する。この場合、ユーザは、表示画面の操作といった簡便な手法により、必要と判断した情報を単独で大きく表示させることができる。また、表示制御手段は、ユーザによって操作されなかった画面を閉じて、当該画面に対応する情報を示すアイコンを表示することができる。
【００２１】
上記の情報表示装置の他の一態様では、前記表示制御手段は、前記アイコンがユーザによって操作された場合、前記アイコンに対応する情報の内容を示す画面を表示する。これにより、ユーザは、アイコンの押下といった簡便な操作で、必要と判断した情報に対応する画面を表示させることができる。
【００２２】
上記の情報表示装置の他の一態様では、前記複数の情報に対するユーザの嗜好性を記憶する嗜好性記憶手段を更に備え、前記表示制御手段は、前記優先度及び前記嗜好性の両方に基づいて、前記取得された情報のそれぞれを表示する際の画面サイズを決定する。
【００２３】
この態様によれば、複数の情報に関する優先度及びユーザの嗜好性の両方に基づいて、取得された情報のそれぞれを表示する際の画面サイズを適切に決定することができる。特に、取得された情報の優先度が同一である場合に、ユーザの嗜好に合う情報やユーザにとって必要な情報を適切な画面サイズによって優先的に表示させることができる。具体的には、ユーザの嗜好に合う情報を、ユーザの嗜好に合わない情報よりも大きな画面サイズで表示させることができる。
【００２４】
上記の情報表示装置の他の一態様では、前記表示制御手段は、前記優先度に加えて、前記複数の情報の夫々を取得する順序に基づいて前記画面サイズを決定する。
【００２５】
この態様によれば、優先度及び情報を取得する順序に基づいて、取得された情報のそれぞれを表示する際の画面サイズを適切に決定することができる。例えば、取得された複数の情報の優先度が同一である場合に、後に取得された情報を、先に取得された情報よりも大きな画面サイズで表示させることができる。
【００２６】
好適な例では、上記の情報表示装置は、前記複数の情報として、ＤＳＲＣ路側器が送信したＤＳＲＣ情報、ＤＳＳＳ路側器が送信したＤＳＳＳ情報、及びビーコン路側器が送信したビーコン情報のうちの少なくともいずれかの情報を取得する。
【００２７】
また、好適な例では、上記の情報表示装置は、前記複数の情報として、ナビゲーション用の情報を取得する。
【００２８】
本発明の他の観点では、複数の情報を取得して、取得された情報に基づいて画面を表示する制御を行う装置によって実行される情報表示方法は、前記複数の情報に対して設定された、優先的に表示する度合いを示す優先度を記憶する優先度記憶工程と、表示すべき２以上の情報が取得された場合に、前記優先度に基づいて、前記取得された情報のそれぞれを表示する際の画面サイズを決定し、決定された前記画面サイズによって前記取得された情報に対応する画面を全て表示する制御を行う表示制御工程と、を備える。
【００２９】
本発明の更に他の観点では、コンピュータを備えると共に、複数の情報を取得して、取得された情報に基づいて画面を表示する制御を行う装置によって実行される情報表示プログラムは、前記コンピュータを、前記複数の情報に対して設定された、優先的に表示する度合いを示す優先度を記憶する優先度記憶手段、表示すべき２以上の情報が取得された場合に、前記優先度に基づいて、前記取得された情報のそれぞれを表示する際の画面サイズを決定し、決定された前記画面サイズによって前記取得された情報に対応する画面を全て表示する制御を行う表示制御手段、として機能させる。
【００３０】
上記の情報表示方法及び情報表示プログラムによっても、取得された全ての情報に対応する画面を表示することで、取得された全ての情報を自由に見る機会をユーザに与えることができる。
【実施例】
【００３１】
以下、図面を参照して本発明の好適な実施例について説明する。なお、以下の説明は、本発明を車両用のナビゲーション装置に適用した例を示す。
【００３２】
［ナビゲーション装置］
図１に、ナビゲーション装置１の構成を示す。図１に示すように、ナビゲーション装置１は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０、及び入力装置６０を備える。
【００３３】
自立測位装置１０は、加速度センサ１１、角速度センサ１２及び距離センサ１３を備え、自立測位センサとして機能する。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００３４】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００３５】
システムコントローラ２０は、インタフェース２１、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２３及びＲＡＭ（Ｒａｎｄｏｍ  Ａｃｃｅｓｓ  Ｍｅｍｏｒｙ）２４を含んでおり、ナビゲーション装置１全体の制御を行う。
【００３６】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００３７】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００３８】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。
【００３９】
データ記憶ユニット３６は、例えば、ＨＤＤなどにより構成され、地図データや施設データなどのナビゲーション処理に用いられる各種データを記憶するユニットである。
【００４０】
通信装置３８は、例えば、ＦＭチューナやビーコンレシーバ、携帯電話や専用の通信カードなどにより構成され、通信用インタフェース３７を介して、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ）センタなどから配信される情報を取得する。
【００４１】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データなどを表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、画像表示部として機能し、例えば対角５〜１０インチ程度の液晶表示装置等からなり、車内のフロントパネル付近に装着される。
【００４２】
音声出力ユニット５０は、システムコントローラ２０の制御の下、ＣＤ−ＲＯＭドライブ３１又はＤＶＤ−ＲＯＭ３２、又はＢＤ−ＲＯＭ、若しくはＲＡＭ２４等からバスライン３０を介して送られる音声デジタルデータのＤ／Ａ（Ｄｉｇｉｔａｌ  ｔｏ  Ａｎａｌｏｇ）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００４３】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。
【００４４】
［通信システム］
次に、図２を参照して、上記したナビゲーション装置１を適用した通信システム１００について説明する。図２は、通信システム１００の概略構成を示す。
【００４５】
通信システム１００は、主に、ＤＳＲＣ路側器９１ａと、ＤＳＳＳ路側器９１ｂと、ビーコン路側器９１ｃと、ＤＳＲＣ車載器９２ａと、ＤＳＳＳ車載器９２ｂと、ビーコン車載器９２ｃと、ナビゲーション装置１とを備える。なお、図２では、ナビゲーション装置１について、路車間通信を行う場合の最小限の構成要素のみを図示している。
【００４６】
通信システム１００は、路側器９１ａ〜９１ｃと車載器９２ａ〜９２ｃとの間で所定の通信を行う路車間通信システムである。ＤＳＲＣ路側器９１ａ、ＤＳＳＳ路側器９１ｂ、及びビーコン路側器９１ｃは、それぞれ、道路などに設置され、外部から取得された情報をＤＳＲＣ車載器９２ａ、ＤＳＳＳ車載器９２ｂ、及びビーコン車載器９２ｃに送信する。
【００４７】
なお、「ＤＳＲＣ」は専用狭域通信（Ｄｅｄｉｃａｔｅｄ  Ｓｈｏｒｔ  Ｒａｎｇｅ  Ｃｏｍｍｕｎｉｃａｔｉｏｎ）を意味し、「ＤＳＳＳ」は安全運転支援システム（Ｄｒｉｖｉｎｇ  Ｓａｆｅｔｙ  Ｓｕｐｐｏｒｔ  Ｓｙｓｔｅｍｓ）を意味する。以下では、ＤＳＲＣで用いる情報、ＤＳＳＳで用いる情報、及びビーコンで用いる情報を、それぞれ、「ＤＳＲＣ情報」、「ＤＳＳＳ情報」、及び「ビーコン情報」と呼ぶ。なお、ＤＳＲＣ情報、ＤＳＳＳ情報、及びビーコン情報は、特定の１つの情報を指すわけではなく、それぞれに複数の種類の情報が含まれる。例えば、ＤＳＲＣ情報には、電子標識や注意警戒情報などが含まれる。
【００４８】
ＤＳＲＣ車載器９２ａ、ＤＳＳＳ車載器９２ｂ、及びビーコン車載器９２ｃは、それぞれ、車両に搭載され、ＤＳＲＣ路側器９１ａ、ＤＳＳＳ路側器９１ｂ、及びビーコン路側器９１ｃから送信された情報を受信し、受信した情報をナビゲーション装置１へ送信する。
【００４９】
ナビゲーション装置１は、主に、システムコントローラ２０と、通信装置３８と、表示ユニット４０と、を備える。通信装置３８は、ＤＳＲＣ車載器９２ａ、ＤＳＳＳ車載器９２ｂ、及びビーコン車載器９２ｃから送信された情報を受信し、受信した情報をシステムコントローラ２０に出力する。
【００５０】
システムコントローラ２０は、データ管理部２０ａと、表示制御部２０ｂと、ナビ用ＵＩ（Ｕｓｅｒ  Ｉｎｔｅｒｆａｃｅ）２０ｃとを備える。データ管理部２０ａは、表示すべき複数の情報（ＤＳＲＣ情報、ＤＳＳＳ情報、ビーコン情報など）に対して予め設定された、優先的に画面を表示する度合いを示す優先度を記憶する。なお、優先度は、これらの情報を配信する側で設定することとしても良いし、ナビゲーション装置１側で設定することとしても良い。
【００５１】
表示制御部２０ｂは、データ管理部２０ａで管理されている優先度に基づいて、ナビ用ＵＩ２０ｃに対して画面を表示するための制御を行う。具体的には、表示制御部２０ｂは、表示すべき２以上の情報が取得された場合に、取得された情報のそれぞれを表示する際の画面サイズを決定し、決定された画面サイズによって画面を表示するための制御を行う。ナビ用ＵＩ２０ｃは、表示制御部２０ｂの制御に基づき、表示ユニット４０に対して画面を表示するための処理を行う。
【００５２】
このように、システムコントローラ２０は、情報表示装置に相当し、優先度記憶手段及び表示制御手段として機能する。
【００５３】
表示ユニット４０は、ナビ用ＵＩ２０ｃによる処理後の情報に対応する画面を表示する。また、表示ユニット４０は、ディスプレイ４４がタッチパネル方式で構成されており、ユーザがディスプレイ４４を操作することで入力した情報を取得する。
【００５４】
ここで、図３を参照して、ＤＳＲＣ情報、ＤＳＳＳ情報、及びビーコン情報の具体例について説明する。ビーコン情報には、例えばビーコン緊急情報やビーコン即時情報がある。ビーコン緊急情報は、緊急情報であり、優先度は「高」である。ビーコン即時情報は、一般情報であり、優先度は「低」である。ＤＳＲＣ情報には、例えばＤＳＲＣ電子標識やＤＳＲＣ安全運転支援情報やＤＳＲＣ注意警戒情報がある。ＤＳＲＣ電子標識は、一般情報であり、優先度は「低」である。ＤＳＲＣ安全運転支援情報は、最優先情報であり、優先度は「高」である。ＤＳＲＣ注意警戒情報は、優先情報であり、優先度は「中」である。ＤＳＳＳ情報は、優先情報であり、優先度は「中」である。
【００５５】
なお、上記したビーコン緊急情報、ビーコン即時情報、ＤＳＲＣ電子標識、ＤＳＲＣ安全運転支援情報、及びＤＳＲＣ注意警戒情報は、特定の１つの情報を指すわけではなく、それぞれに複数の種類の情報が含まれる。
【００５６】
なお、図３では優先度を「高」、「中」、「低」で表す例を示したが、このような優先度を用いることに限定はされない。他の例では、数値で表された優先度を用いることができる。例えば、優先度として「１００」、「７０」、「０」を用いることができる。また、３段階に規定された優先度を用いることに限定はされず、４以上の段階で規定された優先度を用いても良い。
【００５７】
［表示制御方法］
次に、本実施例においてシステムコントローラ２０が実行する表示制御方法について説明する。
【００５８】
本実施例では、システムコントローラ２０は、表示すべき２以上の情報が取得された場合に、優先度に基づいて、取得された情報のそれぞれを表示する際の画面サイズを決定し、決定された画面サイズによって取得された情報に対応する画面を表示する制御を行う。具体的には、システムコントローラ２０は、取得された情報における優先度の差に応じて、取得された情報のそれぞれを表示する際の画面サイズを決定する。
【００５９】
図４を参照して、このような表示制御方法を行う理由を説明する。図４は、比較例に係る表示制御方法を行った場合の不具合を説明するための図を示す。
【００６０】
比較例に係る表示制御方法では、ＤＳＲＣ情報、ＤＳＳＳ情報、及びビーコン情報に対して設定された優先度のみに基づいて優先的に表示する情報を決定して、決定された情報に対応する画面を優先的に表示する制御を行う。具体的には、比較例に係る表示制御方法では、ある情報に対応する画面の表示中に、当該情報よりも優先度が低い情報が割り込んだ場合には、現在の表示画面を継続し、割り込んだ情報は表示しない。これに対して、表示中の情報よりも優先度が高い情報が割り込んだ場合には、現在の表示画面から割り込んだ情報に対応する画面に切り替える。また、比較例に係る表示制御方法では、表示中の情報と優先度が同一である情報が割り込んだ場合には、現在の表示画面から割り込んだ情報に対応する画面に切り替える。
【００６１】
図４（ａ）〜（ｄ）は、ある情報に対応する画面の表示中に当該情報とは異なる情報が割り込んだ場合に、比較例に係る表示制御方法によって表示される画面を示している。具体的には、図４（ａ）及び（ｂ）は、表示中の情報と優先度が異なる情報が割り込んだ場合の例を示しており、図４（ｃ）及び（ｄ）は、表示中の情報と優先度が同一である情報が割り込んだ場合の例を示している。なお、図４（ａ）〜（ｄ）は、それぞれ横方向に時間を示している。
【００６２】
図４（ａ）は、ビーコン緊急情報を表示している際にＤＳＲＣ電子標識が割り込んだ場合の例を示している。割り込んだＤＳＲＣ電子標識は、表示されているビーコン緊急情報よりも優先度が低い。そのため、比較例に係る表示制御方法によれば、ＤＳＲＣ電子標識が割り込んでも、ビーコン緊急情報がそのまま表示され、ＤＳＲＣ電子標識は表示されない。この場合、基本的には、ＤＳＲＣ電子標識を表示させることはできない。なお、ビーコン緊急情報の表示が継続されること自体は、優先度の高い情報を優先的に表示することとした結果であるため、特に問題はない。
【００６３】
図４（ｂ）は、ＤＳＲＣ電子標識を表示している際にビーコン緊急情報が割り込んだ場合の例を示している。割り込んだビーコン緊急情報は、表示されているＤＳＲＣ電子標識よりも優先度が高い。そのため、比較例に係る表示制御方法によれば、ビーコン緊急情報が割り込んだ際に、ＤＳＲＣ電子標識からビーコン緊急情報へ表示画面が切り替えられる。この場合、基本的には、表示画面の切り替え後は、ＤＳＲＣ電子標識を表示させることはできない。なお、表示画面の切り替え自体は、優先度の高い情報を優先的に表示することとした結果であるため、特に問題はない。
【００６４】
図４（ｃ）は、ビーコン即時情報を表示している際にＤＳＲＣ電子標識が割り込んだ場合の例を示している。割り込んだＤＳＲＣ電子標識は、表示されているビーコン即時情報と優先度が同一である。そのため、比較例に係る表示制御方法によれば、ＤＳＲＣ電子標識が割り込んだ際に、ビーコン即時情報からＤＳＲＣ電子標識へ表示画面が切り替えられる。この場合、基本的には、表示画面の切り替え後は、ビーコン即時情報を表示させることはできない。
【００６５】
図４（ｄ）は、ＤＳＲＣ電子標識を表示している際にビーコン即時情報が割り込んだ場合の例を示している。割り込んだビーコン即時情報は、表示されているＤＳＲＣ電子標識と優先度が同一である。そのため、比較例に係る表示制御方法によれば、ビーコン即時情報が割り込んだ際に、ＤＳＲＣ電子標識からビーコン即時情報へ表示画面が切り替えられる。この場合、基本的には、表示画面の切り替え後は、ＤＳＲＣ電子標識を表示させることはできない。
【００６６】
このような比較例に係る表示制御方法では、情報の表示中に別の情報が割り込んだ場合に、表示中の画面及び割り込んだ情報に対応する画面のいずれか一方のみが表示される。つまり、現在の表示画面が継続されるか、或いは割り込んだ情報に対応する画面に切り替えられる。したがって、比較例に係る表示制御方法では、現在の表示画面及び割り込んだ情報に対応する画面の両方を、ユーザが自由に見る機会が与えられていないと言える。そのため、例えば、ユーザにとって必要な情報が表示された画面が強制的に消されて、必要でない情報が表示されてしまったり、ユーザにとって必要でない情報が表示され続け、必要な情報が表示されなかったりする不具合があると考えられる。
【００６７】
なお、表示中の情報と優先度が同一である情報が割り込んだ場合に、現在の表示画面を継続し、割り込んだ情報は表示しないといった表示制御方法もあるが、この方法でも、比較例に係る表示制御方法と同様の不具合が生じる傾向にある。
【００６８】
以上のことから、本実施例では、上記のような不具合を解消すべく、取得された複数の情報を自由に見る機会がユーザに与えられるように表示制御を行う。具体的には、システムコントローラ２０は、表示すべき２以上の情報が取得された場合に、上記した優先度に基づいて、取得された情報のそれぞれを表示する際の画面サイズを決定し、決定された画面サイズによって取得された情報に対応する画面を表示する制御を行う。つまり、システムコントローラ２０は、取得された全ての情報に対応する画面を表示する制御を行う。この場合、システムコントローラ２０は、取得された情報における優先度の差に応じて、取得された情報のそれぞれを表示する際の画面サイズを決定する。即ち、システムコントローラ２０は、優先度に応じて、取得された情報を表示する画面の占有率を変化させる。例えば、システムコントローラ２０は、複数の情報の優先度に応じて予め定めた、当該複数の情報を表示させる画面サイズのパターンを用いて、このような表示制御を行う。
【００６９】
より具体的には、システムコントローラ２０は、ある情報に対応する画面の表示中に、当該情報とは異なる情報が割り込んだ場合に、下記のような表示制御を行う。なお、以下では、既に表示している画面を「既存画面」と呼び、既存画面に用いている情報を「既存情報」と呼ぶ。また、既存画面の表示中に割り込んだ情報（つまり受信された情報）を「割り込み情報」と呼び、割り込み情報の内容に対応する画面を「割り込み画面」と呼ぶ。
【００７０】
システムコントローラ２０は、既存情報と割り込み情報との優先度の差が大きいほど、優先度が高い情報と優先度が低い情報との画面サイズの差を大きくする。言い換えると、既存情報と割り込み情報との優先度の差が小さいほど、優先度が高い情報と優先度が低い情報との画面サイズの差を小さくする。
【００７１】
詳しくは、システムコントローラ２０は、優先度を数値で表した場合において、既存情報と割り込み情報との優先度の差が所定未満である場合には、優先度の差に応じて決定された画面サイズによって、既存情報の内容を示す画面及び割り込み情報の内容を示す画面の両方を表示する。この場合には、システムコントローラ２０は、最大化表示した際の情報の内容を示す画面を縮小した画面にて、既存情報の内容を示す画面及び割り込み情報の内容を示す画面を表示する。
【００７２】
なお、「最大化表示」とは、表示すべき情報（ＤＳＲＣ情報、ＤＳＳＳ情報、ビーコン情報など）を単独で表示させる場合に割り当てられた画面領域のサイズによって、情報の内容を示す画面を表示することを意味するものとする。例えば、表示すべき情報を単独で表示させる画面領域として全画面の領域が割り当てられている場合には、最大化表示は全画面表示に相当する。
【００７３】
一方で、システムコントローラ２０は、既存情報と割り込み情報との優先度の差が所定以上である場合には、優先度が高い情報の内容を示す画面を最大化表示すると共に、優先度が低い情報に対応するアイコンを表示する。この場合、システムコントローラ２０は、優先度が高い情報のみ、その内容を示す画面を表示し、優先度が低い情報については、その内容を示す画面を表示しない。
【００７４】
例えば、システムコントローラ２０は、既存情報及び割り込み情報の一方の優先度が「高」であり、他方の優先度が「低」である場合、優先度が高い情報の内容を示す画面を最大化表示すると共に、優先度が低い情報に対応するアイコンを表示する。一方、システムコントローラ２０は、例えば既存情報及び割り込み情報の一方の優先度が「中」であり、他方の優先度が「高」若しくは「低」である場合、優先度が高い情報の内容を示す画面を、優先度が低い情報の内容を示す画面よりも大きな画面サイズで表示する。一例としては、システムコントローラ２０は、優先度が高い情報の内容を示す画面のサイズと優先度が低い情報の内容を示す画面のサイズとの比を「７：３」に設定して、画面を表示する。一方、システムコントローラ２０は、例えば既存情報及び割り込み情報の優先度が同一である場合、つまり既存情報及び割り込み情報の優先度が共に「高」、「中」、「低」のいずれか１つに該当する場合、既存情報の内容を示す画面と割り込み情報の内容を示す画面とを同一の画面サイズで表示する。
【００７５】
また、本実施例では、システムコントローラ２０は、このように表示された既存情報の内容を示す画面及び割り込み情報の内容を示す画面のうちのいずれかがユーザによって操作された場合、ユーザによって操作された画面を最大化表示する。つまり、ユーザの意思によって選ばれた情報に対応する画面を、大きさ画面サイズによって単独で表示させる。この場合、システムコントローラ２０は、ユーザによって操作されなかった画面を最小化してアイコンで表示する。
【００７６】
なお、アイコンに対応する画面のサイズは、少なくとも情報の内容を示す画面のサイズよりも小さいものとする。つまり、アイコンの画面サイズは、取得された情報を表示する際の画面サイズの中で最も小さいものとする。
【００７７】
更に、本実施例では、システムコントローラ２０は、上記のように情報をアイコン化した場合において、アイコンがユーザによって操作された場合、アイコンに対応する情報の内容を示す画面を表示する。この場合、システムコントローラ２０は、アイコンに対応する情報の内容を示す画面を最大化表示すると共に、それまで表示されていた情報の内容を示す画面を最小化してアイコンで表示する。
【００７８】
以上説明した本実施例に係る表示制御方法によれば、取得された全ての情報に対応する画面を表示することで、取得された全ての情報を自由に見る機会をユーザに与えることができる。具体的には、優先度が高い情報又はユーザにとって必要な情報を優先的に表示できるだけでなく、優先的に表示しなかった情報についてもユーザの操作により表示する機会を与えることができる。つまり、優先度の差が比較的小さい情報については、取得された全ての情報の内容を表示することで、これらの内容をユーザに同時に確認させることができる。これに対して、優先度の差が比較的大きい情報については、優先度が高い情報を優先的に表示させることができると共に、優先度が低い情報についても情報の内容をユーザに表示する機会を与えることができる。この場合、重要な情報が見えにくくなるといった問題は生じない。
【００７９】
また、本実施例に係る表示制御方法によれば、ユーザは、表示画面の操作といった簡便な手法により、ユーザが必要だと判断した情報を単独で大きく表示させることができる。
【００８０】
更に、本実施例に係る表示制御方法によれば、優先度に応じて決定された画面サイズで複数の情報に対応する画面が表示されるため、優先度の高い情報をユーザに直感的に理解させることができる。即ち、直感的に情報の相対的な重要度をユーザに知らせることができる。
【００８１】
（表示画面例）
次に、図５乃至図７を参照して、本実施例に係る表示制御方法による表示画面例を説明する。
【００８２】
図５は、既存情報の優先度が「高」であり、割り込み情報の優先度が「低」である場合に、本実施例に係る表示制御方法によって表示される表示画面例を示している。図５では、既存情報としてＤＳＲＣ安全運転支援情報の一例を示しており、割り込み情報としてＤＳＲＣ電子標識の一例を示している。
【００８３】
図５（ａ）は、ＤＳＲＣ安全運転支援情報に対応する画面の表示中に、ＤＳＲＣ電子標識が割り込んだ場合に表示される表示画面Ａ１を示している。ＤＳＲＣ安全運転支援情報の優先度が「高」であり、ＤＳＲＣ電子標識の優先度が「低」であるため、図５（ａ）に示すように、ＤＳＲＣ安全運転支援情報の内容を示す画面Ａ１ａが最大化表示されると共に、ＤＳＲＣ電子標識に対応するアイコンＡ１ｂが表示される。この場合、ＤＳＲＣ電子標識の内容を示す画面は表示されない。このようなアイコンＡ１ｂによって、ＤＳＲＣ電子標識が受信されたことがユーザに通知される。
【００８４】
図５（ｂ）は、図５（ａ）中のアイコンＡ１ｂがユーザによって操作された場合に表示される表示画面Ａ２を示している。図５（ｂ）に示すように、ユーザがアイコンＡ１ｂを押下することで、アイコンＡ１ｂに対応するＤＳＲＣ電子標識を示す画面Ａ２ａが最大化表示される。この場合、ＤＳＲＣ安全運転支援情報に対応する画面Ａ１ａは最小化され、ＤＳＲＣ安全運転支援情報に対応するアイコンＡ２ｂが表示される。なお、アイコンＡ２ｂがユーザによって操作された場合には、ＤＳＲＣ安全運転支援情報に対応する画面が最大化表示されると共に、ＤＳＲＣ電子標識に対応する画面が最小化されてアイコンで表示される。
【００８５】
図６は、既存情報及び割り込み情報の優先度が同一である場合に、本実施例に係る表示制御方法によって表示される表示画面例を示している。図６では、既存情報としてＤＳＲＣ電子標識の一例を示しており、割り込み情報としてビーコン即時情報の一例を示している。
【００８６】
図６（ａ）は、ＤＳＲＣ電子標識に対応する画面の表示中に、ビーコン即時情報が割り込んだ場合に表示される表示画面Ｂ１を示している。ＤＳＲＣ電子標識及びビーコン即時情報の優先度は共に「低」であり同一であるため、図６（ａ）に示すように、ＤＳＲＣ電子標識の内容を示す画面Ｂ１ａとビーコン即時情報の内容を示す画面Ｂ１ｂとが同一の画面サイズで表示される。この場合、画面Ｂ１ａ、Ｂ１ｂは、最大化表示した際の画面を基準とすると、この基準とした画面を縮小した画面によって表示される。具体的には、その情報の内容が判別できる程度のサイズに縮小された画面によって表示される。
【００８７】
図６（ｂ）は、図６（ａ）に示したビーコン即時情報の内容を示す画面Ｂ１ｂがユーザによって操作された場合に表示される表示画面Ｂ２を示している。図６（ｂ）に示すように、ユーザが画面Ｂ１ｂを押下することで、ビーコン即時情報の内容を示す画面Ｂ２ａが最大化表示される。この場合、ＤＳＲＣ電子標識に対応する画面Ｂ１ａは最小化され、ＤＳＲＣ電子標識に対応するアイコンＢ２ｂが表示される。なお、アイコンＢ２ｂがユーザによって操作された場合には、ＤＳＲＣ電子標識に対応する画面が最大化表示されると共に、ビーコン即時情報に対応する画面が最小化されてアイコンで表示される。
【００８８】
なお、図６（ａ）に示したように、既存情報及び割り込み情報の優先度が同一である場合に、既存情報の内容を示す画面と割り込み情報の内容を示す画面とを同一の画面サイズで表示することに限定はされない。他の例では、このように同一の画面サイズで表示する代わりに、後に取得された割り込み情報の内容を示す画面を、既存情報の内容を示す画面よりも若干大きく表示させることができる。つまり、優先度に加えて、情報を取得する順序を考慮して画面のサイズを決定することができる。更に他の例では、システムコントローラ２０内で優先度とは別に優先的に表示させることと規定した情報の内容を示す画面を、他の情報の内容を示す画面よりも若干大きく表示させることができる。このような場合、一例としては、既存情報及び割り込み情報の一方の情報の内容を示す画面のサイズと他方の情報の内容を示す画面のサイズとの比を「６：４」に設定することができる。
【００８９】
図７は、既存情報の優先度が「中」であり、割り込み情報の優先度が「低」である場合に、本実施例に係る表示制御方法によって表示される表示画面例を示している。図７では、既存情報としてＤＳＲＣ注意警戒情報の一例を示しており、割り込み情報としてＤＳＲＣ電子標識の一例を示している。
【００９０】
図７（ａ）は、ＤＳＲＣ注意警戒情報に対応する画面の表示中に、ＤＳＲＣ電子標識が割り込んだ場合に表示される表示画面Ｃ１を示している。ＤＳＲＣ注意警戒情報の優先度が「中」であり、ＤＳＲＣ電子標識の優先度が「低」であるため、図７（ａ）に示すように、ＤＳＲＣ注意警戒情報の内容を示す画面Ｃ１ａがＤＳＲＣ電子標識の内容を示す画面Ｃ１ｂよりも大きく表示される。例えば、ＤＳＲＣ注意警戒情報の内容を示す画面Ｃ１ａのサイズとＤＳＲＣ電子標識の内容を示す画面Ｃ１ｂのサイズとの比が「７：３」に設定されて表示される。この場合、画面Ｃ１ａ、Ｃ１ｂは、両方とも、最大化表示した際の画面を基準とすると、この基準とした画面を縮小した画面によって表示される。具体的には、その情報の内容が判別できる程度のサイズに縮小された画面によって表示される。
【００９１】
図７（ｂ）は、図７（ａ）に示したＤＳＲＣ電子標識の内容を示す画面Ｃ１ｂがユーザによって操作された場合に表示される表示画面Ｃ２を示している。図７（ｂ）に示すように、ユーザが画面Ｃ１ｂを押下することで、ＤＳＲＣ電子標識の内容を示す画面Ｃ２ａが最大化表示される。この場合、ＤＳＲＣ注意警戒情報に対応する画面Ｃ１ａは最小化され、ＤＳＲＣ注意警戒情報に対応するアイコンＣ２ｂが表示される。なお、アイコンＣ２ｂがユーザによって操作された場合には、ＤＳＲＣ注意警戒情報に対応する画面が最大化表示されると共に、ＤＳＲＣ電子標識に対応する画面が最小化されてアイコンで表示される。
【００９２】
なお、既存情報及び割り込み情報の一方の優先度が「中」であり、他方の優先度が「高」若しくは「低」である場合に、図７（ａ）に示したように、優先度が高い情報の内容を示す画面を、優先度が低い情報の内容を示す画面よりも大きく表示することに限定はされない。このような場合には、優先度にほとんど差がないと言える。そのため、他の例では、優先度が高い情報の内容を示す画面を優先度が低い情報の内容を示す画面よりも大きく表示する代わりに、後に取得された割り込み情報の内容を示す画面を、既存情報の内容を示す画面よりも若干大きく表示させることができる。更に他の例では、システムコントローラ２０内で優先度とは別に優先的に表示させることと規定した情報の内容を示す画面を、他の情報の内容を示す画面よりも若干大きく表示させることができる。このような場合、一例としては、既存情報及び割り込み情報の一方の情報の内容を示す画面のサイズと他方の情報の内容を示す画面のサイズとの比を「６：４」に設定することができる。
【００９３】
更に他の例では、既存情報及び割り込み情報の優先度に加えて、情報を取得する順序を考慮して画面のサイズを決定することができる。例えば、既存情報の優先度が「中」であり、割り込み情報の優先度が「低」である場合に、既存情報の内容を示す画面のサイズと割り込み情報の内容を示す画面のサイズとの比を「６：４」に設定し、既存情報の優先度が「低」であり、割り込み情報の優先度が「中」である場合に、既存情報の内容を示す画面のサイズと割り込み情報の内容を示す画面のサイズとの比を「３：７」に設定することができる。すなわち、この場合、優先度が「中」である情報の内容を示す画面のサイズを、優先度が「低」である情報の内容を示す画面のサイズに対してどの程度大きくするかを、情報を取得する順序に応じて決定している。
【００９４】
更に他の例では、既存情報及び割り込み情報の一方の優先度が「中」であり、他方の優先度が「高」若しくは「低」である場合に、優先度が高い情報の内容を示す画面を優先度が低い情報の内容を示す画面よりも大きく表示する代わりに、既存情報の内容を示す画面と割り込み情報の内容を示す画面とを同一の画面サイズで表示することができる。
【００９５】
（表示制御フロー）
次に、図８を参照して、本実施例における表示制御フローについて説明する。このフローでは、主に、ある情報に対応する画面の表示中に当該情報とは異なる情報が割り込んだ場合に、取得された情報のそれぞれを表示する際の画面サイズを決定し、決定された画面サイズで画面を表示させるための処理が行われる。なお、当該フローは、システムコントローラ２０によって繰り返し実行される。
【００９６】
まず、ステップＳ１０１では、システムコントローラ２０は、表示すべき情報が割り込んだか否かを判定する。具体的には、システムコントローラ２０は、ＤＳＲＣ情報、ＤＳＳＳ情報、及びビーコン情報の少なくともいずれかが受信されたか否かを判定する。情報が割り込んだ場合（ステップＳ１０１；Ｙｅｓ）、処理はステップＳ１０２に進み、情報が割り込まなかった場合（ステップＳ１０１；Ｎｏ）、処理はステップＳ１０１に戻る。
【００９７】
ステップＳ１０２では、システムコントローラ２０は、情報に対応する画面を現在表示しているか否かを判定する。つまり、既存表示が有るか否かを判定する。既存表示が有る場合（ステップＳ１０２；Ｙｅｓ）、処理はステップＳ１０４に進む。これに対して、既存表示が無い場合（ステップＳ１０２；Ｎｏ）、処理はステップＳ１０３に進む。この場合、システムコントローラ２０は、ステップＳ１０１で割り込んだ情報に対応する画面を表示する、つまり割り込み画面を単独表示する（ステップＳ１０３）。そして、処理は終了する。
【００９８】
ステップＳ１０４では、システムコントローラ２０は、既存情報と割り込み情報との優先度の差が「大」、「中」、「小」のいずれに該当するかを判定する。優先度の差が「大」とは、既存情報及び割り込み情報の一方の優先度が「高」であり、他方の優先度が「低」である場合に相当する。優先度の差が「中」とは、既存情報及び割り込み情報の一方の優先度が「中」であり、他方の優先度が「高」若しくは「低」である場合に相当する。優先度の差が「小」とは、既存情報及び割り込み情報の優先度が同一である場合、つまり既存情報及び割り込み情報の優先度が共に「高」、「中」、「低」のいずれか１つに該当する場合に相当する。
【００９９】
優先度の差が「大」である場合、処理はステップＳ１０５に進む。この場合には、既存情報及び割り込み情報の一方の優先度が「高」であり、他方の優先度が「低」である場合に相当する。そのため、システムコントローラ２０は、優先度が高い情報の内容を示す画面を最大化表示すると共に、優先度が低い情報に対応するアイコンを表示する（ステップＳ１０５）。そして、処理は終了する。
【０１００】
一方、優先度の差が「中」である場合、処理はステップＳ１０６に進む。この場合には、既存情報及び割り込み情報の一方の優先度が「中」であり、他方の優先度が「高」若しくは「低」である場合に相当する。そのため、システムコントローラ２０は、優先度が高い情報の内容を示す画面を、優先度が低い情報の内容を示す画面よりも大きな画面サイズで表示する（ステップＳ１０６）。そして、処理は終了する。
【０１０１】
一方、優先度の差が「小」である場合、処理はステップＳ１０７に進む。この場合には、既存情報及び割り込み情報の優先度が同一である場合に相当する。そのため、システムコントローラ２０は、既存情報の内容を示す画面と割り込み情報の内容を示す画面とを同一の画面サイズで表示する（ステップＳ１０７）。そして、処理は終了する。
【０１０２】
以上説明した表示制御フローによれば、取得された全ての情報に対応する画面を表示することで、取得された全ての情報を自由に見る機会をユーザに与えることができる。具体的には、優先度が高い情報又はユーザにとって必要な情報を優先的に表示できるだけでなく、優先的に表示されなかった情報についてもユーザの操作により表示する機会を与えることができる。また、当該表示制御フローによれば、優先度に応じて決定された画面サイズで複数の情報に対応する画面が表示されるため、優先度の高い情報をユーザに直感的に理解させることができる。
【０１０３】
なお、「高」、「中」、「小」によって規定した優先度を用いる代わりに、例えば「１００」を上限として数値化した優先度を用いた場合にも、上記したフローを同様に適用することができる。この場合には、例えば、優先度の差が５０以上である場合にはステップＳ１０５の処理を行い、優先度の差が２０以上で且つ５０未満である場合にはステップＳ１０６の処理を行い、優先度の差が２０未満である場合にはステップＳ１０７の処理を行うことができる。
【０１０４】
［変形例］
上記では、表示中の情報とは異なる１つの情報が割り込んだ場合に行われる表示制御方法を示したが、表示中の情報とは異なる２以上の情報が割り込んだ場合にも、同様の表示制御方法を行うことができる。この場合には、表示中の情報を含めた３以上の情報の優先度に基づいて、それぞれを表示する際の画面サイズを決定し、決定された画面サイズによって画面を表示する制御を行うことができる。
【０１０５】
上記では、ＤＳＲＣ情報、ＤＳＳＳ情報、及びビーコン情報を、表示に用いる複数の情報として示したが、これらの情報を用いることに限定はされない。他の例では、表示に用いる情報として、ＤＳＲＣ情報、ＤＳＳＳ情報、及びビーコン情報を用いると共に、若しくは、これらの情報を用いる代わりに、ナビゲーション用の情報を用いることができる。つまり、ナビゲーション用の情報に関しても、表示すべき２以上の情報が取得された場合に、優先度に基づいて、取得された情報のそれぞれを表示する際の画面サイズを決定し、決定された画面サイズによって画面を表示する制御を行うことができる。例えば、ナビゲーション用の情報としては、案内図に関する情報が用いられる。一例としては、分岐地点で表示される画面の情報が挙げられる。
【０１０６】
上記では、優先度のみに基づいて画面サイズを決定する例を示したが、優先度だけでなく、取得された情報の各々に対するユーザの嗜好性も考慮に入れて、画面サイズを決定しても良い。例えば、取得された情報における優先度が異なる場合には、前述したような方法により優先度の差に応じて画面サイズを決定することとし、取得された情報における優先度が同一である場合には、ユーザの嗜好性の違いに応じて画面サイズを決定することができる。この場合、ユーザの嗜好性の差が大きいほど、嗜好性が高い情報と嗜好性が低い情報との画面サイズの差を大きくすることができる。これにより、ユーザの嗜好に合う情報を優先的に表示させることが可能となる。
【０１０７】
また、ユーザの嗜好性は、表示画面に対するユーザの操作に応じて設定することができる。具体的には、複数の情報が表示された表示画面のいずれかを最大化表示するためにユーザが操作を行った場合に、当該操作が行われた画面に対応する情報についての嗜好性を高く設定することができる。例えば、ユーザの嗜好性として数値化されたポイントを用い、ユーザがこのような操作を行う毎に、当該ポイントを加算していくことができる。
【０１０８】
上記では、車側の装置として、車載器及びナビゲーション装置を備えた構成を示したが、本発明の適用はこれに限定はされない。本発明は、車載器とナビゲーション装置とが一体化された構成にも適用することができる。
【０１０９】
上記では、タッチパネル方式で構成された表示ユニット４０をユーザが操作することで情報を入力する構成を示したが、本発明の適用はこれに限定はされない。本発明は、キーや、スイッチや、ボタンや、リモコンや、音声などを用いてユーザが情報を入力する構成にも適用することができる。
【０１１０】
本発明の適用は、ナビゲーション装置に限定されない。加えて、本発明の適用は、車載器に限定されない。本発明は、例えば携帯電話などの端末装置にも適用することができる。
【符号の説明】
【０１１１】
１  ナビゲーション装置
２０  システムコントローラ
２０ａ  データ管理部
２０ｂ  表示制御部
２０ｃ  ナビ用ＵＩ
３８  通信装置
４０  表示ユニット
９１ａ  ＤＳＲＣ路側器
９１ｂ  ＤＳＳＳ路側器
９１ｃ  ビーコン路側器
９２ａ  ＤＳＲＣ車載器
９２ｂ  ＤＳＳＳ車載器
９２ｃ  ビーコン車載器
１００  通信システム
【図１】
2011095088.tif 000003
【図２】
2011095088.tif 000004
【図３】
2011095088.tif 000005
【図４】
2011095088.tif 000006
【図５】
2011095088.tif 000007
【図６】
2011095088.tif 000008
【図７】
2011095088.tif 000009
【図８】
2011095088.tif 000010